(57)【特許請求の範囲】
【請求項１】
送油手段に接続するローデングアームの先端近傍に配置され、ローリの各貯油室のハッチ近傍に配置されたハッチを特定するハッチカードを読取るカード読取手段を備え、前記カード読取手段からの信号により当該ハッチに給油すべく予め設定された油種の一致を判定して給油を実行する給油装置において、
前記ハッチカードのデータを構成する複数の符号片の順列組合わせの内、その一部を前記ハッチを特定するためのデータに割り当てるように前記符号片を基板に配列した前記ハッチカードと、前記ハッチを特定するためのデータに割り当てた以外の符号片の順列組合わせをアースライン解除またはオフライン設定の制御項目に割り当てて前記ハッチカードと同一仕様の基板に配列した制御カードと、を備え、前記制御カードのデータを前記カード読取手段により読み取ることにより、アースライン解除またはオフライン設定でのローリへの給油を可能とした給油装置。
【請求項２】
前記符号片の最大数が４であり、これにより構成可能な１５種類のデータの内、１０種類をハッチを表すデータに、また残りを前記制御項目に割り当ててなる請求項１に記載の給油装置。
【請求項３】
前記ローデングアームが給油の開始を指令するスタートスイッチを有し、前記制御カードを前記カード読取手段に挿入した状態で、前記スタートスイッチを操作することにより、アースライン解除またはオフライン設定のいずれかが実行される請求項１に記載の給油装置。
【発明の詳細な説明】
【０００１】
【発明の属する技術分野】
本発明は、規模の小さい油槽所におけるローリヘの給油装置に関する。
【０００２】
【従来の技術】
ローリは通常、１つのタンクを仕切りにより最大１０程度の貯油室に分割されていて、各貯油室のハッチから異なる燃料油を搭載するように構成されていて、ハッチ毎に定められた油種の燃料油を油槽所で一定量搭載して目的の場所に運ぶ車両である。
【０００３】
このように１台の車両に異なる油種の燃料油を搭載する関係上、誤って油種の異なる燃料油を搭載する虞がある。このような問題に対処するため、貯油室のハッチを特定するデータを書き込んだハッチカードを各油槽室のハッチ近傍に設ける一方、ローデングアームにハッチカードを読取るための読取装置を設け、給油時に各ハッチのハッチカードを読取装置にセットして給油するハッチを給油装置に読取らせ、当該ハッチに給油すべく予め設定された油種と一致した場合にのみ給油を実行できるように構成されている。
【０００４】
ところで、ローリへの給油に際しては、アースラインや通信ラインを確立して安全性を確保するとともに、中央制御装置による制御のための通信を保証する必要がある。
【０００５】
【発明が解決しようとする課題】
しかしながら、これらラインに故障が生じた場合にはこれらを確立することなく、給油を可能ならしめることも必要となり、このような場合には通常、事務所に出向きここに設置されている制御装置の制御盤等を操作する必要がある。このためローリへの乗降が必要となり作業が繁雑になるという問題がある。
このような問題を解消するため、ローデングアームの近傍に新たに制御スイッチを増設することも考えられるが、ケーブルの増設や防爆設備を必要として設備が複雑化するという問題がある。
【０００６】
本発明はこのような問題に鑑みてなされたものであって、その目的とするところはハッチカードを構成する符号片による符号の内、ハッチ判定に使用されない符号片の組合わせを積極的に利用して、制御装置を遠隔操作するためのスイッチの増設を不要とした給油装置を提供することにある。
【０００７】
【課題を解決するための手段】
このような問題を解消するために本発明においては、送油手段に接続するローデングアームの先端近傍に配置され、ローリの各貯油室のハッチ近傍に配置されたハッチを特定するハッチカードを読取るカード読取手段を備え、前記カード読取手段からの信号により当該ハッチに給油すべく予め設定された油種の一致を判定して給油を実行する給油装置において、前記ハッチカードのデータを構成する複数の符号片の順列組合わせの内、その一部を前記ハッチを特定するためのデータに割り当てるように前記符号片を基板に配列した前記ハッチカードと、前記ハッチを特定するためのデータに割り当てた以外の符号片の順列組合わせをアースライン解除またはオフライン設定の制御項目に割り当てて前記ハッチカードと同一仕様の基板に配列した制御カードと、を備え、前記制御カードのデータを前記カード読取手段により読み取ることにより、アースライン解除またはオフライン設定でのローリへの給油を可能とした。
【０００８】
【作用】
既存のハッチカード読取手段に制御カードを装填することにより、給油装置に対して遠隔点からアースライン解除またはオフライン設定することができる。
【０００９】
【実施例】
そこで以下に本発明の詳細を図示した実施例に基づいて説明する。
図１は、本発明の給油装置が設備された油槽所の概要を示すものであって、油槽所１は、ゲート２の近傍に事務所３が、またローリの駐車領域にラック４が設置されており、非危険場所である事務所３にはＰＯＳや制御装置５が配置され、またラック４には異なる油種の燃料油を給油する複数のローデングアーム６、６、６‥‥と、油種や給油量を表示するためのデイスプレイ７、７、７‥‥が設けられている。
【００１０】
各ローデングアーム６は、図示しない送油ポンプから流量計１０、制御弁１１を介して特定の燃料油の供給を受ける立ち上がり管１２と、これの先端にジョイント１３、１３より揺動可能に接続されたドロップパイプ１４とからなり、ドロップパイプ１４をローリ２０のハッチ２４、２５、２６に選択的に挿入可能に構成されている。
【００１１】
ローデングアーム６の操作し易い位置にはスタートスイッチ１５と、カード読取装置８が配置され、ケーブル１７を介して事務所３の制御装置５に接続されている。
【００１２】
一方、ローリ２０は各貯油室２１、２２、２３のハッチ２４、２５、２６の近傍に紐２７等でカード読取装置８まで移動可能にハッチカード２８、２８、２８が設けられており、またラック４のアースコネクタ１８にアース線３０で接続してアースを取るためのアースコネクタ３１が設けられている。
【００１３】
図３は、上述したカード読取装置８と、ハッチカード２８の一実施例を示すものであって、図中符号４０は、一端に開口４１を備えたカード収容胴４２を形成するケースで、カード２８の符号片５０、５１、５２と対向し、かつ符号片５０〜５２の配置可能な領域に符号片５０〜５３の有無に基づいて信号を出力するリードスイッチ等の符号片読取素子４３、４４、４５、４６が、符号片の最大数、この実施例では４個配置されている。
【００１４】
これら符号片読取素子４３〜４６は、リード線４７を介して出力手段４８に接続されてケーブル１７により制御装置５に信号を出力する。
【００１５】
このような構成により図３（ロ）に示したようにカード読取装置８の収容胴４２にカード２８を所定の位置まで挿入すると、符号片読取素子４３、４４、４５、４６にカード２８の符号片５０、５２、５３が対向するから、４個の符号片５０〜５３の順列、組み合わせにより最大１５のパターンが符号片読取素子４３〜４６により検出されて、信号として制御装置５に出力できる。
【００１６】
ところで、ローリ２０の貯油室のハッチ２４、２５、‥‥は、通常は１０個以内であるから、４個の識別片を用いると、１５種類の情報を表現することが可能であり、そのうちの１０種類分の配置形態（図４（イ））がハッチを特定するためにハッチカード用として予約されているものの、残り５種類の符号の組み合わせの配置形態（図４（ロ））は未使用状態におかれている。
【００１７】
本発明においては、この未使用分の配置形態（図４（ロ））の１つをアースカードの符号に、また他の配置形態の１つをオフラインカードの符号として採用し、これら符号の配置形態に一致するようにハッチカード２８と同様に基板に符号片を配置してそれぞれのカードを構成している。
【００１８】
さらにアースカードやオフラインカードとして使用済み分以外の符号をメンテナンスや日計表を表示させるための符号片の配置形態として使用し、ジョブカードを製作することも可能である。
【００１９】
図５は、前述した制御装置の一実施例を示すものであって、図中符号６０は、符号判定手段で、カード読取装置８からの信号により挿入されたカードがハッチカード２８か、それ以外のカード、つまりオフラインカード、アースカードかを判定し、ハッチカード２８の場合には信号をハッチ番号判定手段６１に出力し、またそれ以外のカードの場合には後述する制御定手段６３に信号を出力するように構成されている。
【００２０】
６２は、給油制御手段で、ハッチ番号判定手段６１からのハッチ番号信号に基づいて、制御手段５で入力されている当該ハッチ番号のハッチに給油すべき油種を選出し、この油種とローデングアーム６に登録されている油種とを比較し、一致した場合にはスタートスイッチ１５からの信号の入力を待って給油を実行させるものである。
【００２１】
６３は、制御手段で、符号判定手段６０からの信号に基づいてアースカードか、オフラインカードかを判定し、アースカードの場合にはスタートスイッチ１５からの信号が入力した時点でアースライン解除の制御を行い、またオフラインカードの場合にはスタートスイッチ１５からの信号が入力した時点でオフライン設定を行うように構成されている。また、その他のカードが挿入されてスタートスイッチ１５が押圧されるとメンテナンスや日計表を表示するためのプロセスを実行する。
【００２２】
次にこのように構成した装置の動作を図６に示したフローチャートに基づいて説明する。
給油ステーションに燃料油を配送するべくハッチ２５に付属するハッチカード２８をローデングアーム６のカード読取装置８に挿入すると（ステップ  イ）、ハッチカード２８に記録された当該ハッチの番号が読み取られ、当該ハッチに給油すべく予め設定されている油種と、このローデングアーム６に登録されている油種と一致した場合に、給油制御手段６２は給油を可能ならしめ、また油種が一致しない場合には警報を発する。
【００２３】
給油が可能となった段階で、ローデングアーム６のスタートスイッチ１５を押圧すると（ステップ  ロ）、通信回線が正常に動作するか否かを検査する（ステップ  ハ）。
【００２４】
通信回線が正常であることの確認が取れた場合には、制御装置５はアースラインの障害の有無を検査し（ステップ  ニ）、正常であることの確認が取れた場合には給油制御手段６２は給油動作を指令する（ステップ  ホ）。
【００２５】
これにより、ＰＯＳ等とのデータ通信を確保して荷卸しデータを管理できる状態で、かつアースを取った安全な状態で給油が実行される。
【００２６】
一方、これら給油動作を開始するに当たって行われた通信回線、及びアースラインの検査により障害が検出された場合には、それぞれの検査終了時点で警報が発せられる（ステップ  ヘ）。
【００２７】
このように異常な状態でも敢えて給油を行う必要がある場合には、通信回線の異常に対してはハッチカード２８と同様な作りになっているオフラインカードを読取装置８に挿入して（ステップ  ト）、スタートスイッチ１５を押圧する（ステップ  チ）。これにより制御手段６３は、通信回線をオフラインに設定する（ステップ  リ）。
【００２８】
オフラインの設定が終了した段階で制御装置５は、アースラインが確立されているか否かを検査し（ステップ  ニ）、アースラインが正常であることが確認されると、給油制御手段６２に信号を出力してオフライン状態での給油可能ならしめる（ステップ  ホ）。
【００２９】
また、ステップ（ニ）においてアースラインに障害が発生していることが判明した場合には、完全にアースが確保されていることを確認した後に、ハッチカードと同様な作りになっているアースカードをカード読取装置８に挿入して（ステップ  ヌ）、スタートスイッチ１５を押圧する（ステップ  ル）。これにより給油制御手段６２はアースラインの接続解除を行ない（ステップ  オ）、アースラインの有無に関わりなく給油を可能ならしめる（ステップ  ホ）。
【００３０】
さらに、メンテナンスや日計表を表示する等のジョブを特定するための符号配列がなされた他のジョブカードをカード読取装置８に挿入すると（ステップ  ワ）、制御装置５は、メンテナンスや日計表の表示を実行する（ステップ  カ）。
【００３１】
【発明の効果】
以上、説明したように本発明によれば、既存のハッチカード読取り手段に制御用のカードを装填することにより、制御用の新たなスイッチ類を必要とすることなく、給油装置に対して遠隔点からアースライン解除またはオフライン設定することができる。
【図面の簡単な説明】
【図１】本発明の給油装置を設備した油槽所の概要を示す図である。
【図２】本発明に使用するローデングアームの一実施例を示す図である。
【図３】図（イ）、（ロ）は、それぞれカード読取装置とカードの一実施例を示す図、及びカードの読取り状態を示す図である。
【図４】図（イ）、（ロ）は、それぞれカードの符号片の組み合わせの一実施例を示す図である。
【図５】制御装置の一実施例を示すブロック図である。
【図６】同上装置の動作を示すフローチャートである。
【符号の説明】
１  油槽所
４  ラック
５  制御装置
６  ローデングアーム
７  デイスプレイ
８  カード読取装置
１５  スタートスイッチ
２０  ローリ２０
２４〜２６  ハッチ
２７〜２９  ハッチカード
４３〜４６  符号片読取素子
５０〜５３  符号片
【図１】
0003707634.tif 000002
【図２】
0003707634.tif 000003
【図３】
0003707634.tif 000004
【図４】
0003707634.tif 000005
【図５】
0003707634.tif 000006
【図６】
0003707634.tif 000007